(57)【要約】【課題】少ない部品点数で構成され、誰でも簡単に組み立てることができるほか、簡単に固定することができ、かつ、取付位置を容易に変更することができる壁面ラックを提供する。【解決手段】少なくとも二枚の側板２と、複数枚の棚板３とによって構成され、側板２は、内側面に多数のダボ穴２３が形成された板状の本体２１と、その両側縁に取り付けられた二本の垂直な柱材２２とによって形成され、回転量に応じて突出量が変化する伸縮ロッド２４が、柱材２２の下端に取り付けられていることを特徴としている。尚、柱材２２の下端部には、伸縮ロッド２４と螺合するソケットが装着されており、伸縮ロッド２４はこのソケットに挿通される。また、柱材２２の内部であって、ソケットの上方の位置に、伸縮ロッド２４の上端部の進入を許容する空洞が形成されている。【選択図】図１
0003224885.tif 000002
【実用新案登録請求の範囲】
【請求項１】
少なくとも二枚の側板と、複数枚の棚板とによって構成され、
前記側板は、内側面に多数のダボ穴が形成された板状の本体と、その両側縁に取り付けられた二本の垂直な柱材とによって形成され、
回転量に応じて突出量が変化する伸縮ロッドが、前記柱材の下端に取り付けられていることを特徴とする壁面ラック。
【請求項２】
前記柱材の下端部に、前記伸縮ロッドと螺合するソケットが装着され、
前記伸縮ロッドが、前記ソケットに挿通され、回転量に応じて前記柱材の下端部からの突出量が変化するように構成されていることを特徴とする、請求項１に記載の壁面ラック。
【請求項３】
前記柱材の内部であって、前記ソケットの上方の位置に、前記伸縮ロッドの上端部の進入を許容する空洞が形成されていることを特徴とする、請求項２に記載の壁面ラック。
【考案の詳細な説明】
【技術分野】
【０００１】
本考案は、居室や書庫等の室内の壁面に沿って設置される壁面ラックに関し、特に、少ない部品点数で構成され、誰でも簡単に組み立てることができ、かつ、取付位置を簡単に変更することができる壁面ラックに関する。
【背景技術】
【０００２】
従来、住居やオフィス等の室内壁面に、書籍、家電製品、その他の雑貨等を収納し、或いは、ディスプレイするための設備として、様々なタイプの壁面ラックが設置されている。壁面ラックには、什器として後付けで設置されるもののほか、施工当初から、いわゆる「造り付け」として設置されるものがある。
【０００３】
後付けで設置される壁面ラックは、一旦設置した後でも、ユーザーの希望に応じていつでも簡単に移動し、又は、撤去することができるという利点を有するが、地震等に備えて、転倒防止措置を講じる必要がある。一方、造り付けの壁面ラックは、壁面に造り付けられているため、地震等による転倒の危険はないが、撤去、或いは、移動が困難で、レイアウト変更（部屋の模様替え）に対する選択の自由度が低いという問題がある。
【先行技術文献】
【特許文献】
【０００４】
【特許文献１】実用新案登録第３２１２４０１号公報
【特許文献２】特開２０１８−１２７８７７号公報
【特許文献３】特開２０１９−１３６１６１号公報
【考案の概要】
【考案が解決しようとする課題】
【０００５】
什器としての壁面ラックと造り付けの壁面ラックには、上述の通り、それぞれ一長一短があるところ、両者の長所を併せ持ち、かつ、安価に施工することができるような壁面ラックが望まれている。
【０００６】
本考案は、このような従来技術における問題を解決しようとするものであって、少ない部品点数で構成され、誰でも簡単に組み立てることができるほか、簡単に固定することができ、かつ、取付位置を容易に変更することができる壁面ラックを提供することを目的とする。
【課題を解決するための手段】
【０００７】
本考案に係る壁面ラックは、少なくとも二枚の側板と、複数枚の棚板とによって構成され、側板は、内側面に多数のダボ穴が形成された板状の本体と、その両側縁に取り付けられた二本の垂直な柱材とによって形成され、回転量に応じて突出量が変化する伸縮ロッドが、柱材の下端に取り付けられていることを特徴としている。
【０００８】
尚、この壁面ラックにおいては、柱材の下端部に、伸縮ロッドと螺合するソケットが装着され、伸縮ロッドが、ソケットに挿通され、回転量に応じて柱材の下端部からの突出量が変化するように構成されていることが好ましく、また、柱材の内部であって、ソケットの上方の位置に、伸縮ロッドの上端部の進入を許容する空洞が形成されていることが好ましい。
【考案の効果】
【０００９】
本考案に係る壁面ラックは、少ない部品点数で構成され、誰でも簡単に組み立てることができるほか、簡単に固定することができ、かつ、取付位置を容易に変更することができるという効果を期待することができる。
【図面の簡単な説明】
【００１０】
【図１】図１は、本考案の第一実施形態に係る壁面ラック１の斜視図である。
【図２】図２は、図１に示す柱材２２の下端部の断面である。
【考案を実施するための形態】
【００１１】
以下、添付図面に沿って本考案に係る壁面ラックの実施形態について説明する。図１は、本考案の第一実施形態に係る壁面ラック１の斜視図であり、図示されているように、左右一対（少なくとも二枚）の側板２、及び、複数枚の棚板３によって構成されている。
【００１２】
側板２はそれぞれ、板状の本体２１と、その両側縁に取り付けられた二本の垂直な柱材２２とによって形成されている。本体２１の各内側面には、多数のダボ穴２３が形成されている。柱材２２の下端には、金属製の伸縮ロッド２４がそれぞれ取り付けられている。
【００１３】
棚板３は、任意の高さ位置のダボ穴２３に挿入したダボ（図示せず）により、二枚の側板２間において支持させることができ、また、ダボの挿入位置を上下方向に変更することにより、棚板３を支持する高さ位置を変更することができる。
【００１４】
図２は、柱材２２の下端部の断面図である。伸縮ロッド２４は、柱材２２の下端部に装着されたソケット２５に挿通されている。尚、伸縮ロッド２４の外周面にはネジ山が形成され、ソケット２５の内周面には、伸縮ロッド２４のネジ山と螺合するネジ溝が形成されており、伸縮ロッド２４を回転させると、回転量に応じて伸縮する（ソケット２５の下端からの突出量が変化する）ようになっている。また、ソケット２５の上方（柱材２２の内部）には、伸縮ロッド２４の上端部の進入を許容する空洞２６が形成されており、上方側への伸縮ロッド２４の可動範囲が拡大されている。
【００１５】
この壁面ラック１は、次のような方法によって簡単に設置し、固定することができる。まず、一方の側板２Ａを、設置予定位置において垂直に支持する。このとき、伸縮ロッド２４の下端から柱材２２の上端部までの寸法が、設置予定位置における床面から天井面までの寸法よりもわずかに（１０〜２０ｍｍ程度）小さくなるように、伸縮ロッド２４の突出量を調整しておく。
【００１６】
次に、側板２Ａを垂直に支持した状態で、突出量が大きくなる方向へ伸縮ロッド２４を回転させる。そうすると、伸縮ロッド２４によって側板２が押し上げられて上昇し、柱材２２の上端部が天井面に接触する。この状態から伸縮ロッド２４を同方向へ更に回転させて、天井面と床面との間で側板２を突っ張らせ、柱材２２の上端部と天井面との間、及び、伸縮ロッド２４の下端部と床面との間で大きな摩擦力がそれぞれ作用する状態とすることにより、側板２を固定する。
【００１７】
続いて、もう一方の側板２Ｂを、既に固定した側板２Ａと同様の要領で固定する。尚、側板２Ｂは、側板２Ａとの間（本体２１同士の間）に、棚板３の横幅寸法と同じ寸法の間隔が形成される位置に固定する。そして、任意の高さ位置のダボ穴２３にダボを挿入し、棚板３を支持させる。
【００１８】
尚、伸縮ロッド２４には、ナット（図示せず）を、ソケット２５の下方側の位置に予め装着しておくことが好ましく、最後に、このナットを十分な力でソケット２５側へ締め付けることにより、伸縮ロッド２４の回転をロックさせることができ、伸縮ロッド２５の回り戻り（突出量が小さくなる方向へ回転してしまうこと）を好適に防止することができる。
【００１９】
また、柱材２２の上端部が当接する天井面には、柱材２２の上端部と係合して、柱材２２の位置ずれを防止する係合手段（図示せず）を配置し、また、伸縮ロッド２４の下端部が当接する床面には、伸縮ロッド２４の下端部と係合して、伸縮ロッド２４の位置ずれを防止する係合手段（図示せず）を配置した場合には、側板２を、より強固に固定することができる。
【符号の説明】
【００２０】
１：壁面ラック、
２，２Ａ，２Ｂ：側板、
３：棚板、
２１：本体、
２２：柱材、
２３：ダボ穴、
２４：伸縮ロッド、
２５：ソケット、
２６：空洞、
【図１】
0003224885.tif 000003
【図２】
0003224885.tif 000004